(57)【要約】      （修正有）【課題】指によるタッチ入力と、ペンによるタッチ入力が可能な複合タッチスクリーン装置において、誤操作や誤検出を排除した装置およびその運用方法の提供。【解決手段】直接接触によって入力イベントを感知するタッチパネルと、接触前に所定の感知距離に進入すると入力イベントを感知するタッチペン入力感知用ペンタッチパネルと、ユーザの運用による画面を出力するディスプレイパネルと、タッチパネル及びペンタッチパネルに入力された入力イベントに応じて該当機能を実行するように制御する少なくとも１つのプロセッサとを含み、少なくとも１つのプロセッサは、タッチペンの入力イベントとペンタッチパネルの入力イベントとを相互排他的に感知するように制御する。タッチペン入力中に発生する手のひらタッチなどによる入力エラーを防止できる。【選択図】図５
2013175163.tif 000002
【特許請求の範囲】
【請求項１】
複合タッチスクリーン装置において、
直接接触によって入力イベントを感知するタッチパネルと、
接触前に所定の感知距離に進入すると入力イベントを感知するタッチペン入力感知用ペンタッチパネルと、
前記タッチパネル、前記ペンタッチパネル及びユーザの運用による画面を出力するディスプレイパネルと、
前記タッチパネル及び前記ペンタッチパネルに入力された入力イベントに応じて該当機能を実行するように制御する少なくとも１つのプロセッサと、を含み、
前記少なくとも１つのプロセッサは、前記タッチパネルの入力イベントと前記ペンタッチパネルの入力イベントとを相互排他的に感知するように制御することを特徴とする複合タッチスクリーン装置。
【請求項２】
前記少なくとも１つのプロセッサは前記タッチペンが接触前に感知距離に進入するとタッチパネルの入力イベント感知機能を停止することを特徴とする請求項１に記載の複合タッチスクリーン装置。
【請求項３】
前記タッチペンの感知が停止された場合は所定時間が経過した後、タッチパネルの入力イベント感知機能を活性化させることを特徴とする請求項２に記載の複合タッチスクリーン装置。
【請求項４】
前記タッチパネルは静電容量式タッチパネル又は抵抗膜方式タッチパネルのうち１つであることを特徴とする請求項１に記載の複合タッチスクリーン装置。
【請求項５】
前記ペンタッチパネルは電磁誘導式タッチパネルであることを特徴とする請求項１に記載の複合タッチスクリーン装置。
【請求項６】
前記少なくとも１つのプロセッサは前記タッチパネルにおいて、予め設定された許容入力タッチポイント数Ｎより多いタッチ（以下、「Ｎ点タッチ」という）が発生した場合は入力イベントを無視することを特徴とする請求項１に記載の複合タッチスクリーン装置。
【請求項７】
前記ペンタッチパネルの機能を活性化するための別途の実行手段をさらに含むことを特徴とする請求項１に記載の複合タッチスクリーン装置。
【請求項８】
前記少なくとも１つのプロセッサは前記実行手段の入力が感知された場合は前記タッチパネルの入力イベント感知機能を停止することを特徴とする請求項７に記載の複合タッチスクリーン装置。
【請求項９】
前記実行手段はユーザによって生成されるアイコン、別途具備されるショートカットキーボタン、設定メニュー中に含まれるタッチペン実行メニューのうち少なくとも１つであることを特徴とする請求項７に記載の複合タッチスクリーン装置。
【請求項１０】
前記少なくとも１つのプロセッサは前記タッチパネルによって持続的に入力イベントを感知する間にタッチペンが感知された場合は前記タッチパネルの入力イベントを取り消してタッチパネルの入力イベント感知機能を停止することを特徴とする請求項１に記載の複合タッチスクリーン装置。
【請求項１１】
前記ペンタッチパネルによるタッチペンの感知が停止された場合は前記タッチパネルの入力イベント感知機能を直ちに活性化するか、所定時間が経過した後、活性化することを特徴とする請求項１０に記載の複合タッチスクリーン装置。
【請求項１２】
請求項１乃至１１のいずれか一項に記載のタッチスクリーン装置を含む電子装置。
【請求項１３】
前記電子装置は通信用携帯端末であることを特徴とする請求項１２に記載の電子装置。
【請求項１４】
直接接触によって入力イベントを感知するタッチパネルと、接触前に所定の感知距離に進入すると入力イベントを感知するタッチペン入力感知用ペンタッチパネルを含むタッチスクリーン装置の運用方法において、
前記ペンタッチパネルによるタッチペンの接近が感知されたかを検査する過程と、
前記タッチペンの接近が感知された場合は前記タッチパネル機能を停止し、前記タッチペンによる入力イベントのみを行う過程と、を含み、
前記タッチペンによる入力イベントと前記タッチパネルにおける入力イベントとを相互排他的に制御することを特徴とする運用方法。
【請求項１５】
前記タッチペンによる入力イベントの遂行中に、
タッチペンの感知が停止されたかを検査する過程と、
タッチペンの感知が停止された場合、所定時間が経過した後、タッチパネル機能を再活性化させる過程と、をさらに含むことを特徴とする請求項１４に記載の運用方法。
【請求項１６】
前記ペンタッチパネルは電磁誘導式タッチパネルであることを特徴とする請求項１４に記載の運用方法。
【請求項１７】
前記タッチペンの接近が感知されなかった場合、
前記タッチパネルに接触による入力イベントが発生したかを検査する過程と、
入力イベントが発生した場合、入力イベントの発生中に前記タッチペンが感知されたかを検査する過程と、
タッチペンが感知された場合、現在タッチパネルによって感知された入力イベントを取り消して前記タッチパネルの入力イベント感知機能を停止する過程と、をさらに含むことを特徴とする請求項１４に記載の運用方法。
【請求項１８】
前記ペンタッチパネルによるタッチペンの感知が発生した後、
タッチペンの感知が停止されたかを検査する過程と、
タッチペンの感知が停止された場合、直ちに又は所定時間が経過した後、前記タッチパネルの入力イベント感知機能を再活性化させる過程と、をさらに含むことを特徴とする請求項１７に記載の運用方法。
【請求項１９】
ユーザ接触式タッチパネルと、タッチペン入力イベント感知用ペンタッチパネルを含むタッチスクリーン装置の運用方法において、
前記タッチパネルで予め設定された許容入力タッチポイント数Ｎより多いタッチ（以下、「Ｎ点タッチ」という）が発生したかを検査する過程と、
前記Ｎ点タッチが発生した場合、入力イベントを無視してタッチパネルの機能を停止する過程と、
前記ペンタッチパネルでタッチペンが感知された場合ペンタッチパネル機能のみを行う過程と、を含むことを特徴とする運用方法。
【請求項２０】
前記タッチペンによる入力イベントの遂行中に、
タッチペンの感知が停止されたかを検査する過程と、
タッチペンの感知が停止された場合、所定時間が経過した後、タッチパネル機能を再活性化させる過程と、をさらに含むことを特徴とする請求項１９に記載の運用方法。
【請求項２１】
前記ペンタッチパネルでタッチペンが感知されなかった場合、所定時間が経過した後、タッチパネル機能を再活性化させる過程をさらに含むことを特徴とする請求項１９に記載の運用方法。
【請求項２２】
前記Ｎ点タッチは、Ｎ＝２、即ち、少なくとも３点のタッチポイントが同時にタッチされた場合であることを特徴とする請求項１９に記載の運用方法。
【発明の詳細な説明】
【技術分野】
【０００１】
本発明は互いに異なるタッチ方式が複合された複合タッチパネルを含む複合タッチスクリーン装置及びその運用方法、並びに電子装置に関する。
【背景技術】
【０００２】
一般に、各種電子機器にはデータ入力のための入力装置とデータ出力のための出力装置とを備える。入力装置としてはキーボタン装置などがあり、出力装置としてはＬＣＤモジュールを含むディスプレイ装置などがある。
【０００３】
最近、電子機器の体積を著しく減少させながらその機能を多様化できるようにデータ入出力を同じ位置で行うことができるタッチスクリーン装置が発売されている。このようなタッチスクリーン装置は透明なタッチパネルがＬＣＤモジュールの上部に配置されることにより入出力が同時に行われ、このタッチパネルは抵抗膜方式（Ｒｅｓｉｓｔｉｖｅ）タッチパネル、静電容量式タッチパネル、超音波式タッチパネル、光（赤外線）センサ式タッチパネル、電磁誘導式タッチパネルなど様々な方式のタッチパネルに区別される。
【０００４】
一般にタッチスクリーン装置はユーザの指を利用してデータを入力するが、最近はデータ補助入力手段としてペン形状の入力装置（一般に「タッチペン」と称する）を備え、このようなタッチペンによってデータを選択的に入力する複合タッチスクリーン装置が発売されている。また、タッチスクリーン装置はタッチパネルとは別途のセンサ手段を備えタッチペンによるデータ入力とタッチパネルによるデータ入力とを分離して使用することもある。
【０００５】
上述のように、タッチパネルのデータ入力方式と分離してタッチペンを使用する場合、通常は電磁誘導方式を使用する。即ち、電子装置に複数のコイルが縦横のアレイ状に配置されてなるペンタッチパネル（一般に、「センサパッド」、又は「デジタイザ板」と称する）をタッチパネルとは別途のセンサ手段として備え、タッチペンには共振回路を備える。従って、センサパッドのコイルに交流信号を印加させて動作させ、タッチペンがこのような電子装置のディスプレイパネルに隣接するとタッチペンと隣接したペンタッチパネルのコイルが磁界を形成し、磁界と共振してタッチペンでは共振周波数が発生し、発生した共振周波数は電子装置の制御部で感知されて対応するタッチ位置が把握できる。
【０００６】
さらに、最近、単にタッチペンのタッチ位置のみを感知して表示することに加え、ユーザがタッチペンで電子装置のディスプレイパネルを加圧する筆圧の加減に応じて、例えば文字の太さなどを表現できるようにして、実際のペンを使用しているような感覚をユーザに与えて使用便宜性を増大させている。
一方、複合タッチ方式のタッチスクリーン装置を備えた電子装置はユーザの指を認識するために通常は静電容量式タッチパネルを使用し、タッチペンの入力を認識するために主に電磁誘導式ペンタッチパネルを使用している。
【０００７】
しかし、上述した複合タッチスクリーン装置はユーザが意図しない状況でデータが入力される場合がある。例えば、ユーザがタッチペン機能を利用するためにタッチペンを把持している状態で電子装置のタッチスクリーン装置に手のひらの一部分を接触すると（いわゆる「手のひらタッチ（ｐａｌｍ  ｔｏｕｃｈ）」）、ペンタッチパネルではなく指を認識するためのタッチパネルがこれを感知して無作為にデータの入力を感知するようになり、これはユーザにとっては入力エラーである上、結果的に製品の信頼性を低下させる問題点になっていた。
【先行技術文献】
【特許文献】
【０００８】
【特許文献１】大韓民国公開特許Ｎｏ．１０−２０１０−００１２７０１
【発明の概要】
【発明が解決しようとする課題】
【０００９】
本発明は、上述した問題点を解決するために創案されたものであって、本発明の目的は、入力信頼性を保証できる複合タッチスクリーン装置及びその運用方法を提供することにある。
【００１０】
本発明の他の目的は、ユーザの意図に沿ったタッチ動作を正確に行って結果的に製品の信頼性向上に資する複合タッチスクリーン装置及びその運用方法を提供することにある。
【課題を解決するための手段】
【００１１】
本発明は、上述した目的を達成するために創案されたものであって、電子装置に適用される複合タッチスクリーン装置において、直接接触によって入力イベントを感知するタッチパネルと、接触前に所定の感知距離に進入すると入力イベントを感知するタッチペン入力感知用ペンタッチパネルと、前記タッチパネル、前記ペンタッチパネル及びユーザの運用による画面を出力するディスプレイパネルと、前記タッチパネル及び前記ペンタッチパネルに入力された入力イベントに応じて該当機能を実行するように制御する少なくとも１つのプロセッサと、を含み、前記少なくとも１つのプロセッサは、前記タッチパネルの入力イベントと前記ペンタッチパネルの入力イベントとを相互排他的に感知するように制御することを特徴とする。
【００１２】
また、本発明は上述したタッチスクリーン装置による運用方法を提供する。これにより、本発明は直接接触によって入力イベントを感知するタッチパネルと、接触前に所定の感知距離に進入すると入力イベントを感知するタッチペン入力感知用ペンタッチパネルを含むタッチスクリーン装置の運用方法において、前記ペンタッチパネルによるタッチペンの接近が感知されたかを検査する過程、及び前記タッチペンの接近が感知された場合は前記タッチパネル機能を停止してタッチペンによる入力イベントのみを行う過程を含むことによって、前記タッチペンによる入力イベントと前記タッチパネルにおける入力イベントとを相互排他的に制御することを特徴とする。
【００１３】
また、本発明はユーザ接触式タッチパネルと、タッチペン入力イベント感知用ペンタッチパネルを含むタッチスクリーン装置の運用方法において、前記タッチパネルで予め設定された許容入力タッチポイント数Ｎより多いタッチ（以下、「Ｎ点タッチ」という）が発生したかを検査する過程、前記Ｎ点タッチが発生した場合、入力イベントを無視してタッチパネルの機能を停止する過程、及び前記ペンタッチパネルでタッチペンが感知された場合はペンタッチパネル機能のみを行う過程を含むことを特徴とする。
【発明の効果】
【００１４】
本発明によれば、ペンタッチと指タッチとを排他的に動作させることにより、タッチペンを使用する場合、ユーザがタッチペンをタッチスクリーン装置に接触する直前に感知領域に近接させた時、それを未然に感知して人体感知用タッチパネルの機能を停止するので、手のひらタッチ（ｐａｌｍ  ｔｏｕｃｈ）などの意図しないタッチによる入力エラーを防止できる。
【図面の簡単な説明】
【００１５】
【図１】本発明の好ましい一実施形態によるタッチペンによって携帯端末の複合タッチスクリーン装置を操作する状態を示した斜視図である。
【図２】本発明による図１のタッチペンの構成を示した断面図である。
【図３】本発明による図１のタッチペンが電子装置に適用される状態を示した要部断面図である。
【図４】本発明による図１の携帯端末のブロック構成図である。
【図５】本発明による図１のペンタッチと人体によるタッチとを排他的に動作させるための手順を示したフローチャートである。
【図６】本発明の他の実施形態による図１のペンタッチと人体によるタッチとを排他的に動作させるための手順を示したフローチャートである。
【図７】本発明による図６の手順を説明するための模式図である。
【図８】本発明のさらに他の実施形態によるペンタッチと人体によるタッチとを排他的に動作させるための手順を示したフローチャートである。
【図９】本発明による図８の手順を説明するための模式図である。
【発明を実施するための形態】
【００１６】
以下、本発明の好ましい実施形態を添付された図面を参照して詳細に説明する。そして、本発明を説明するに当たって、公知の、関連する機能又は構成に対する具体的な説明が本発明の要旨を却って不明確にする恐れがあると判断される場合、その詳細な説明を省略する。そして、後述の説明で使用される用語は、本発明における機能を考慮して定義された用語であって、これはユーザ、運用者の意図又は慣例などに応じて異なることがある。従って、その定義は本明細書全般にわたる内容に基づいて行われるべきである。
【００１７】
本発明を説明するに当たって、電子装置としては複合タッチスクリーン装置を備える通信用携帯端末を示し、これについて説明したがこれに限定されない。電子装置としては例えば、複合タッチスクリーン装置を備える様々な機器、即ち、ＰＤＡ（Ｐｅｒｓｏｎａｌ  Ｄｉｇｉｔａｌ  Ａｓｓｉｓｔａｎｔ）、ラップトップ（Ｌａｐｔｏｐ）コンピュータ、スマートフォン（Ｓｍａｒｔ  Ｐｈｏｎｅ）、ネットブック（Ｎｅｔｂｏｏｋ）、携帯用のインターネット利用端末（ＭＩＤ：Ｍｏｂｉｌｅ  Ｉｎｔｅｒｎｅｔ  Ｄｅｖｉｃｅ）、ウルトラモバイルＰＣ（ＵＭＰＣ：Ｕｌｔｒａ  Ｍｏｂｉｌｅ  ＰＣ）、タブレットＰＣ（Ｔａｂｌｅｔ  Ｐｅｒｓｏｎａｌ  Ｃｏｍｐｕｔｅｒ）、ナビゲーション、ＭＰ３プレーヤを含む。
【００１８】
以下、本発明による複合タッチスクリーン装置及びその運用方法について述べる。
図１は、本発明の好ましい一実施形態によるタッチペンによって携帯端末の複合タッチスクリーン装置を操作する状態を示した斜視図であり、図２は、本発明による図１のタッチペンの構成を示した断面図である。
【００１９】
図１及び図２を参照すると、携帯端末１００は前面にタッチスクリーン装置１０１を含み、その上側にイヤピース（ｅａｒ  ｐｉｅｃｅ）１０２が配置され、その下側にはマイクロホン１０３が配置される。
【００２０】
後述するが、携帯端末１００のタッチスクリーン装置１０１は複合タッチスクリーン装置であり、ユーザの人体、即ち、指や手のひらによってタッチを認識するタッチパネル（図３の１８２）とタッチペン１によって入力を感知するためのペンタッチパネル（図３の１８３）とを含む。
【００２１】
タッチパネル１８２はユーザの指がタッチスクリーン装置１０１の表面に直接接触した時、データの入力を認識するものであり、静電容量式又は抵抗膜方式のタッチパネルがある。
一方、ペンタッチパネル１８３はタッチペンがタッチスクリーン装置に接触する前に所定の距離以内に接近した時、それを感知できる電磁誘導式タッチパネルであるか、超音波タッチパネル又は赤外線タッチパネルのような空間タッチパネルである。
【００２２】
本発明ではユーザの人体、即ち、指や手のひらの接触を認識するタッチパネルに静電容量式タッチパネルを使用し、ペンタッチパネルとしては電磁誘導式タッチパネル（デジタイザ板）を使用している。
【００２３】
本発明によれば、ユーザがタッチペンをタッチスクリーン装置に接触する直前に感知領域に近接させた時、人体感知用タッチパネルの機能を停止してユーザの手のひらタッチによる入力エラーを排除する。これにより、ユーザがタッチペンを使用する場合は、タッチスクリーン装置に例えば手のひらを置いても人体タッチによるデータ入力エラーを未然に防止できる。
【００２４】
図２に示したように、本発明によるタッチペンは所定の長さを有する中空型ハウジング１０と、ハウジング内部空間１１に流動可能に設置され端部がハウジングから露出されるように設置されるティップ（ｔｉｐ）５０と、ティップとともに移動する磁性体２０と、磁性体２０と所定間隔だけ離隔するように設置されるコイル体３０と、上述した磁性体２０の移動によるコイル体３０との間隔の変化によってインダクタンスの変化が誘導されるインダクタを含む共振回路を有する基板６０と、上述した磁性体２０とコイル体３０の間隔を維持し、ティップ５０を加圧する時変形されて磁性体２０とコイル体３０の間隔が変化するように誘導する弾性体４０と、を含む。
【００２５】
上述したティップ５０はハウジング１０の端部に形成された開口に一部が突出されるように形成され、突出されない装着面には磁性体２０が装着される。この時、ティップ５０の装着面には突起が形成され磁性体２０の底面に凹溝が形成されて嵌合されることによって磁性体２０はティップ５０と共に移動できる。
【００２６】
磁性体２０としては好ましくはフェライトチップ（ｆｅｒｒｉｔｅ  ｃｈｉｐ）を使用する。上述した磁性体２０の上面にはガイド突起が突出形成されており所定の弾性体４０に形成されるガイド溝に定着される構成を有する。コイル体３０は棒状のフェライトコア（ｆｅｒｒｉｔｅ  ｃｏｒｅ）の外周面上に複数回巻き取られたコイル３１を持つ。また、コイル体３０の、上記棒状のフェライトコアは、ハウジング１０の内部空間１１で移動しないように固定された基板６０に緊密に固定される。
【００２７】
従って、上述した弾性体４０は磁性体２０とコイル体３０の間に介在する。弾性体４０は磁性体２０とコイル体３０が互いに接触しないように所定間隔だけ離隔させ、ティップ５０によってコイル体方向に押される磁性体２０を支持し、ティップ５０に加圧される力（筆圧）が除去されると磁性体２０がコイル体３０から元の間隔を維持するように復元力を提供する。このような弾性体４０としてはラバー、シリコンなど長期間使用しても最初の形状を維持できる材質を使用する。
【００２８】
図３は、本発明による図１のタッチペンが携帯端末に適用される状態を示した要部断面図である。
図３を参照すると、携帯端末１００は所定のケースフレームの内側実装空間にペンタッチパネル１８３、表示部であるディスプレイユニット１７０及びタッチパネル１８２が順に実装されて複合タッチスクリーン装置１０１をなす。透明なタッチパネル１８２は携帯端末１００のウィンドウ１０６の下面に蒸着される方式で実装されており、その下側にＬＣＤモジュール（ＬＣＤ：Ｌｉｑｕｉｄ  Ｃｒｙｓｔａｌ  Ｄｉｓｐｌａｙ  Ｍｏｄｕｌｅ）などのディスプレイユニット１７０が実装される。
【００２９】
ペンタッチパネル１８３は、図示していないが、複数個のコイルが、直交するＸ軸とＹ軸に沿ってアレイ状に配置されてなるコイルアレイからなるセンサＰＣＢ、センサＰＣＢの下部に外部電磁波を遮断するように設置されるシールドプレート及び携帯端末１００のメインボード１０５と電気的に連結されるコネクタを含む。また、ペンタッチパネル１８３は遮光性のコイルを含むので、透明材質で形成された別途のタッチパネルとディスプレイユニット１７０の下部に配置することが好ましい。しかし、これに限定されず、上述したタッチパネル１８２、ディスプレーユニット１７０及びペンタッチパネル１８３の配置は変更可能である。
【００３０】
本発明によれば、タッチペン１は携帯端末１００のウィンドウ１０６と所定距離Ｄ以内に接近するとペンタッチパネル１８３がそれを感知できる。この場合、携帯端末１００はペンタッチパネル１８３が使われることを感知してユーザの指を認識するためのタッチパネル１８２の機能を停止する。従って、タッチペン１が携帯端末１００の感知距離以内に接近した後、例えばユーザの手のひらが携帯端末のウィンドウの上面に接触されても、この接触による別途の意図しないデータ入力を排除できる。
【００３１】
図４は、本発明による図１の携帯端末のブロック構成図である。
本発明による携帯端末は保存モジュール１１０、プロセッサ（ｐｒｏｃｅｓｓｏｒ）モジュール１２０、通信モジュール１３０、外部ポート（ｐｏｒｔ）１４０、オーディオ処理部１５０、入出力（ＩＯ、Ｉｎｐｕｔ  Ｏｕｔｐｕｔ）制御モジュール１６０、表示部１７０及び入力装置１８０を含む。ここで、保存モジュール１１０と外部ポート１４０は複数個存在することができ、表示部はディスプレイモジュールとしてＬＣＤモジュールを含むことができる。
【００３２】
プロセッサモジュール１２０はメモリ制御器１２１、プロセッサ１２２及び周辺インタフェース１２３を含む。ここで、プロセッサ１２２は複数個存在できる。
通信モジュール１３０はＲＦ（Ｒａｄｉｏ  Ｆｒｅｑｕｅｎｃｙ）処理部１３１及び基底帯域処理部（ｂａｓｅｂａｎｄ  ｐｒｏｃｅｓｓｏｒ）１３２を含む。
上述した構成要素は１つ以上の集積回路（ｉｎｔｅｇｒａｔｅｄ  ｃｉｒｃｕｉｔ）のようなハードウェアもしくはソフトウェア、又はハードウェアとソフトウェアの組み合わせで実施され得る。
各構成要素について述べると次のとおりである。
【００３３】
保存モジュール１１０は携帯端末の動作を制御するためのプログラムを保存するプログラム保存部及びプログラム遂行中に発生するデータを保存するデータ保存部１１７で構成されることができる。例えば、プログラム保存部はＯＳ（ｏｐｅｒａｔｉｎｇ  ｓｙｓｔｅｍ）ソフトウェアモジュール１１１、通信ソフトウェアモジュール１１２、グラフィックソフトウェアーモジュール１１３、ユーザインタフェースソフトウェアモジュール１１４、少なくとも１つのアプリケーションソフトウェアモジュール１１５及び本発明によるタッチ運用プログラムモジュール１１６を含む。
【００３４】
ＯＳソフトウェアモジュール１１１は全般的なシステム作動を制御する少なくとも１つのソフトウェア構成要素を含む。この時、ＯＳソフトウェアモジュール１１１は複数個のハードウェア（装置）とソフトウェア構成要素の間の通信を円滑にする機能も行う。
【００３５】
通信ソフトウェアモジュール１１２はＲＦ処理部１３１や外部ポート１４０を介して送受信するデータを処理するための少なくとも１つのソフトウェア構成要素を含む。
グラフィックソフトウェアーモジュール１１３は表示部１７０上にグラフィックを提供して表示するための少なくとも１つのソフトウェア構成要素を含む。
ユーザインタフェースモジュール１１４はユーザインタフェースに係る少なくとも１つのソフトウェア構成要素を含む。
アプリケーションプログラムソフトウェアモジュール１１５は携帯用電子装置１００に設置された少なくとも１つのアプリケーションプログラムに対するソフトウェア構成要素を含む。
【００３６】
タッチ運用プログラムモジュール１１６は入出力制御モジュール１６０に含まれたタッチパネルＩＣ及びペンタッチパネルＩＣで認識したタッチエラーを補正するためのソフトウェア構成要素を含むのみでなく、本発明によって本発明の複合タッチパネル運用を支援するための様々なルーチンを含むことができる。例えば、タッチ運用プログラムモジュール１１６は、タッチパネル１８２とペンタッチパネル１８３を活性化するように支援するルーチン、タッチパネル１８２とペンタッチパネル１８３の活性化過程で指などによる手タッチイベントとペンタッチイベントを収集するルーチンを含むことができる。
【００３７】
さらにタッチ運用プログラムモジュール１１６は、タッチパネルの装置情報に該当する情報及びペンタッチパネルに該当するデジタイザ（ｄｉｇｉｔｉｚｅｒ）ベースのタッチペンの装置情報を確認することによって、入力されるタッチイベントの種類を区分できるように支援するルーチンを含む。また、上述したタッチ運用プログラムモジュール１１６は収集されたユーザによる人体タッチイベントとペンタッチイベントを区分するルーチン、区分されたタッチイベントを所定のタッチ運用テーブルを参照して運用するルーチンを含むことができる。
【００３８】
プロセッサモジュール１２０のメモリ制御器１２１はプロセッサ１２２又は周辺インタフェース１２３のような他の構成要素の保存モジュール１１０へのアクセスを制御し、本発明による複合タッチパネル運用を支援するために必要な様々な信号のフロー、情報収集及び出力などを制御する。
【００３９】
プロセッサモジュール１２０は本発明によってペンタッチパネル１８３によってタッチペンが近接することを感知すると人体タッチを感知するタッチパネル１８２の機能を停止してタッチペンの入力のみを感知するように制御する。従って、ユーザはタッチペンを入力する直前又は入力中に手のひらなど人体をタッチスクリーン装置に接触してもタッチパネル１８２による入力は行われないので、データの誤入力を未然に防止できる。
【００４０】
周辺インタフェース１２３は携帯端末の１００の入出力周辺装置とプロセッサ１２２及び保存モジュール１１０の連結を制御する。
プロセッサ１２２は少なくとも１つのソフトウェアプログラムを使用して携帯端末が音声通信及びデータ通信のような様々なサービスを提供するように制御する。また、プロセッサ１２２は保存モジュール１１０に保存されているソフトウェアモジュールを実行して該当ソフトウェアモジュールに対応するマルチメディアサービスを提供するように制御する。
プロセッサモジュール１２０に含まれるメモリ制御器１２１、プロセッサ１２２及び周辺インタフェース１２３は、シングルチップ又は別途のチップ（ｃｈｉｐ）で具現され得る。
【００４１】
通信モジュール１３０のＲＦ処理部１３１はアンテナを介して送受信される高周波信号を処理する。例えば、ＲＦ処理部１３１は基底帯域処理部１３２から提供された基底帯域信号を高周波信号に変換してアンテナを介して送信する。また、ＲＦ処理部１３１はアンテナを介して提供された高周波信号を基底帯域信号に変換して基底帯域処理部１３２に伝送する。ここで、ＲＦ処理部１３１はＲＦトランシーバ（ｔｒａｎｓｃｅｉｖｅｒ）、増幅器（ａｍｐｌｉｆｉｅｒ）、チューナ（ｔｕｎｅｒ）、オシレータ（ｏｓｃｉｌｌａｔｏｒ）、デジタル信号処理器（ＤＳＰ、ｄｉｇｉｔａｌ  ｓｉｇｎａｌ  ｐｒｏｃｅｓｓｏｒ）、ＣＯＤＥＣ（ＣＯｄｉｎｇ／ＤＥＣｏｄｉｎｇ）チップセット、加入者識別番号モジュール（ＳＩＭ：Ｓｕｂｓｃｒｉｂｅｒ  Ｉｄｅｎｔｉｔｙ  Ｍｏｄｕｌｅ）カードなどを含む。
【００４２】
外部ポート１４０は携帯端末が他の装置と直接連結されるかネットワークを介して他の装置と連結されるようにする連結インタフェースを含む。例えば、外部ポート１４０は電子機器の充電のための充電インタフェースを含む。
【００４３】
オーディオ処理部１５０はスピーカ及びマイクロホン１０３を介してユーザと携帯用電子装置１００の間のオーディオパケットを形成しオーディオインタフェースを提供する。
【００４４】
入出力制御モジュール１６０はディスプレイモジュールを含む表示部１７０と本発明によるキー入力ボタン１８１、タッチパネル１８２及びペンタッチパネル１８３を含む入力部１８０などの入出力装置と周辺インタフェース１２３の間にインタフェースを提供する。この時、入出力制御モジュール１６０はタッチパネル及びペンタッチパネルから入力された入力情報によってタッチ座標を決定するドライバＩＣをそれぞれ含むことができる。
【００４５】
表示部１７０はグラフィックソフトウェアーモジュール１１３の制御に応じて携帯用電子装置１００の状態情報、ユーザが入力するメッセージ、動画（ｍｏｖｉｎｇ  ｐｉｃｔｕｒｅ）及び静止画（ｓｔｉｌｌ  ｐｉｃｔｕｒｅ）などを表示する。また、表示部１７０は入力装置のタッチパネルとペンタッチパネルに入力されたタッチ情報を表示する。
【００４６】
図５は、本発明による図１のペンタッチと人体によるタッチとを排他的に動作させるための手順を示したフローチャートである。
図５に示したように、端末はステップ５０１でタッチペンが感知されたかを検査する。この場合、タッチパネルとペンタッチパネルは活性化されている状態である。ここでタッチペンはタッチスクリーン装置にタッチペンが接触しなくても所定距離以内に接近すると感知できる。従って、タッチペンは電磁誘導式タッチペンを使用することが好ましい。もしタッチペンが感知されない場合はステップ５０３に進んで該当機能を行うことができる。
【００４７】
次に、タッチペンが感知された場合はステップ５０５に進んで端末は指タッチ、手のひらタッチなどユーザの人体によるタッチを感知するためのタッチパネルの機能を停止してペンタッチパネル機能のみが活性化された状態を維持させる。従って、ユーザはタッチペンを入力する時点で手のひらや指をタッチスクリーン装置に接触しても意図しないデータ入力が行われずペンタッチによる自由なデータ入力が可能である。
【００４８】
次にステップ５０７でタッチペンの感知が停止されたかを検査する。これはタッチペンがタッチスクリーン装置と所定感知距離外に離れた状態を意味する。もしタッチペンの感知が停止された場合、ステップ５０９に進んで所定時間が経過したかを検査し、所定時間が経過した場合はタッチペン入力がユーザによって終了したと認知してステップ５１１に進んでタッチパネルの機能を再活性化する。
【００４９】
図示していないが、本発明によればユーザによる１点以上の接触式タッチが先に発生してタッチパネルが入力イベントを持続的に感知している状況（タッチ又はドラッグがタッチスクリーン上から離れていない状況）でタッチペンが感知された場合、現在入力されているタッチパネルによって感知される入力イベントは取り消され、タッチパネルの入力イベント感知機能を停止することができる。即ち、タッチペンによる入力イベントのみをペンタッチパネルで感知できる。この場合、ペンタッチパネルによるタッチペンの感知が停止される場合は、直ちにタッチパネルの感知機能を活性化するか、所定時間が経過すると、タッチパネルの機能を再活性化できる。
【００５０】
図６は、本発明の他の実施形態による図１のペンタッチと人体によるタッチとを排他的に動作させるための手順を示したフローチャートであり、図７は、本発明による図６の手順を説明するための模式図である。
【００５１】
本発明に係る複合タッチスクリーン装置は、タッチパネルとペンタッチパネルとを相互排他的に動作させるための構成を有する。例えば、ペンタッチパネルによるタッチペンの入力が感知された時、タッチパネルの機能を停止して手のひらタッチによる誤入力を未然に防止する構成である。しかし、これに限定されず、タッチペンの入力有無にかかわらず手のひらタッチによる誤入力を感知して防止できる。
【００５２】
図６及び図７を参照すると、ステップ６０１でタッチポイント数が予め設定されたタッチポイント数Ｎより多い「Ｎ点タッチ」であるかを検査する。例えば、タッチパネルによって感知される入力タッチポイントは、マルチタッチとして２点のタッチポイントを同時にタッチすることを許容する場合を考える。本発明によれば、その場合でも、３点以上のタッチは入力エラーと認識できる。この場合は、例えば図７に示すように、ユーザがタッチペンを入力する前に手のひらの複数の個所が同時にタッチスクリーン装置に接触された状態に相当する。即ち、ユーザがタッチペン入力のために手のひらをタッチスクリーン装置の表示部上に接触させると、例えばＡ、Ｂ、Ｃのように３点、又はそれ以上のタッチポイントが認識され、この場合はステップ６０５に進んでタッチパネルの機能を停止し、このように入力されたデータを無視して表示部に表示しない。
【００５３】
次に、ステップ６０７に進んでタッチペンが感知されたかを検査し、タッチペンが感知された場合はステップ６０９に進んでペンタッチパネル機能を行う。即ち、ユーザによるタッチペンの入力によるタッチ位置を感知して該当プログラムを実行できる。
【００５４】
しかし、手のひらタッチなどの入力エラーと思われる多重タッチポイントを感知した後でタッチペンが感知されない場合は、さらにステップ６１３で所定時間が経過したことが感知された後、端末はユーザのタッチペン入力がないと認知してステップ６１５に進んでタッチパネル機能を再活性化できる。
【００５５】
本発明のさらに他の実施形態によれば、タッチペンの入力有無にかかわらず予め設定されたタッチポイントから離れたＮ点タッチが発生した場合、該当タッチパネルの機能を停止することによって不要なデータの誤入力を防止できる。
【００５６】
好ましくは、上述したＮ点タッチはユーザの手のひらを認識できる３点以上のタッチ入力であることがある。
【００５７】
図８は、本発明のさらに他の実施形態によるペンタッチと人体によるタッチとを排他的に動作させるための手順を示したフローチャートであり、図９は、本発明による図８の手順を説明するための模式図である。
【００５８】
本実施形態に係る複合タッチスクリーン装置は、人体による入力を感知のためのタッチパネルとタッチペンによる入力を感知するためのペンタッチパネルとを排他的に動作させるために別途の実行手段を備えている。このような実行手段はタッチスクリーン装置上に生成される別途のアプリケーションであり得る。しかし、これに限定されず、環境設定メニューに含まれて実行されるもでき、別途のキーボタンの入力によっても実行できる。従って、このような実行手段を実行するとペンタッチパネルが活性化され、その反対にタッチパネルは機能は停止される。
【００５９】
図８及び図９に示したように、ステップ８０１でペンタッチ機能を活性化するための入力が感知されたかを検査する。これは端末に備えられた所定の実行手段が動作されたかを検査する過程で、入力が感知された場合はステップ８０５に進んでペンタッチパネル機能を活性化させ、タッチパネルの機能を停止する。従って、本実施形態では最初はペンタッチパネルが活性化されていないので、ユーザによるペンタッチパネルの活性化が行われるべきである。
【００６０】
このような過程は、例えば図９に示したように、携帯端末１００の表示部１７０に表示される制御メニュー画面のうちタッチペンアイコン１７２をクリックすると、クリックと同時にタッチパネルの機能は停止され、ペンタッチパネルの機能は活性化できる。
【００６１】
次に、ステップ８０７に進んでタッチパネル機能を停止し、ステップ８０９に進んで活性化されたペンタッチパネルによるタッチペンの感知有無を検査する。もしタッチペンが感知された場合はステップ８１１に進んでユーザのタッチペン入力によるデータ表示、プログラム実行などの該当機能を行う。
【００６２】
次に、ステップ８１５に進んでペンタッチ機能を停止するための入力が感知されたかを検査する。このようなステップはユーザによって上述した実行手段の入力が取り消されたことを感知する過程で、ユーザによって意図的にペン入力モードを終了させることができる。もしペンタッチ機能を停止するための入力が感知された場合はステップ８１９に進んでタッチパネル機能を再活性化する。
【００６３】
一方、ステップ８０９で実行手段の入力に応じてペンタッチパネルが活性化されタッチパネルが停止されたにもかかわらずタッチペンが感知されなかった場合はステップ８１５に進んでその後のステップを順に進行できる。
【００６４】
また、ステップ８１５でペンタッチ機能を停止するための入力が感知されなくてもタッチペン感知が停止された場合はステップ８１７に進んで所定時間間タイマーを駆動させ時間が満了するとステップ８１９に進んでタッチパネル機能を再活性化できる。
【００６５】
図８及び図９でタッチペンアイコンによるタッチペン機能の活性及び停止を例をあげて説明したが、直接タッチアイコンによって直接タッチパネル機能の活性化を停止することも可能である。
本発明による複合タッチスクリーン装置はタッチペン入力前に意図しない手のひらタッチ（ｐａｌｍ  ｔｏｕｃｈ）を認識してデータの誤入力を未然に防止することによって装置の入力信頼性を確保し、結果的に製品の信頼性向上に資することができる。
【００６６】
明らかに特許請求の範囲内にあって、このような実施形態を変形できる多くの様々な方式がある。言い換えると、以下の特許請求の範囲から逸脱することなく本発明を実施できる多くの他の方式があり得るということである。
【符号の説明】
【００６７】
１    タッチペン
１０    中空型ハウジング
１１    ハウジング内部空間
２０    磁性体
３０    コイル体
３１    コイル
４０    弾性体
５０    ティップ（ｔｉｐ）
６０    基板
１００    携帯端末
１０１    タッチスクリーン装置
１０２    イヤピース
１０３    マイクロホン
１０５    メインボード
１０６    ウィンドウ
１１０    保存モジュール
１１１    ＯＳソフトウェアモジュール
１１２    通信ソフトウェアモジュール
１１３    グラフィックソフトウェアーモジュール
１１４    ユーザインタフェースソフトウェアモジュール
１１５    アプリケーションソフトウェアモジュール
１１６    タッチ運用プログラムモジュール
１２０    プロセッサモジュール
１２１    メモリ制御器
１２２    プロセッサ
１２３    周辺インタフェース
１３０    通信モジュール
１３１    ＲＦ処理部
１３２    基底帯域処理部
１４０    外部ポート
１５０    オーディオ処理部
１６０    入出力制御モジュール
１７０    表示部、ディスプレイユニット
１７２    タッチペンアイコン
１８０    入力装置
１８１    キー入力ボタン
１８２    タッチパネル
１８３    ペンタッチパネル
【図１】
2013175163.tif 000003
【図２】
2013175163.tif 000004
【図３】
2013175163.tif 000005
【図４】
2013175163.tif 000006
【図５】
2013175163.tif 000007
【図６】
2013175163.tif 000008
【図７】
2013175163.tif 000009
【図８】
2013175163.tif 000010
【図９】
2013175163.tif 000011